(57)【要約】【課題】コーキングが不十分であったり、経年劣化によりコーキングが破損したりし、額縁材の嵌合枠とサッシ枠との継目部分から浴室外への漏水が発生しても、浴室ユニットと、建物躯体壁との隙間に漏水が流れ込むことがない建物を提供する。【解決手段】シート状非透水材料から形成された止水部材５を、底面被覆部51が躯体開口部11の底面11ａを覆い、外壁被覆部53が躯体壁１の躯体開口部11下方を覆うように設置し、サッシ枠3の躯体嵌合部32が、底面被覆部51に下方から受けられるように躯体開口部11に嵌め込み、かつ、底面被覆部51上に、躯体開口部11の幅方向全幅にわたって水返し用の堰6が設け、コーキング7の不備部分から嵌合枠41と躯体嵌合部32との継目部分を介して嵌合枠41下方に流れだした浴室2からの漏水が、堰6より建物外側の底面被覆部51上に落ちるように誘導する漏水誘導構造を設けた。【選択図】      図２
2014173409.tif 000002
【特許請求の範囲】
【請求項１】
浴室が躯体壁との間に浴室ユニットを組み立てることによって形成されていて、建物外部に臨む建物の躯体壁に形成された躯体開口部に、建物外側からサッシ枠の躯体嵌合部が嵌め込まれ、
浴室壁に形成された浴室壁開口部に、浴室側から額縁材の嵌合枠が嵌め込まれ、
前記躯体嵌合部と前記嵌合枠との継目部分を通って浴室側から浴室外側への漏水することを防止するように前記嵌合枠の内周面に沿ってコーキングが施されている建物であって、
シート状または板状をした非透水材料から形成され、底面被覆部および外壁被覆部を少なくとも備えた止水部材が、
前記底面被覆部が躯体開口部の内周壁の底面を覆い、前記外壁被覆部が前記躯体開口部下方の躯体外壁の少なくとも上端部を覆うように設置され、
前記サッシ枠の躯体嵌合部が、非止水状態で前記底面被覆部に下方から受けられるように前記躯体開口部に嵌め込まれ、
前記底面被覆部上に、前記躯体開口部の幅方向全幅にわたって水返し用の堰が設けられるとともに、
前記コーキングの施工不備部分あるいは劣化部分を介して嵌合枠と前記躯体嵌合部との継目部分を介して前記嵌合枠下方に流れだした漏水が、前記水返し用の堰より建物外側の前記底面被覆部上に落ちるように誘導される漏水誘導構造を備えていることを特徴とする建物。
【請求項２】
嵌合枠とサッシ枠との継目位置が、堰より建物外側の底面被覆部直上に設けられている請求項１に記載の建物。
【請求項３】
嵌合枠が、枠本体部と、この枠本体部のサッシ枠側に内周面に沿って設けられて枠本体部とサッシ枠の躯体嵌合部との継目部分を隠蔽するように取り付けられる調整枠とを備え、
前記調整枠と前記躯体嵌合部との継目および調整枠と枠本体部の継目に沿ってコーキングが施されている請求項１または請求項２に記載の建物。
【請求項４】
堰がゴム発泡体からなる止水テープを少なくとも底面被覆部の上面の貼着して形成されている請求項１〜請求項３のいずれかに記載の建物。
【請求項５】
止水テープの厚みとほぼ同じ厚みの第１の板材が、その端面を止水テープの浴室側端面に沿わせた状態で躯体開口部の内周壁底面に固定され、第２の板材が前記止水テープの上面を覆うように、前記第１の板材に固定されて前記止水テープが位置決めされている請求項４に記載の建物。
【請求項６】
第１の板材が壁構造材に固定された金具に浴室側端部が支持固定されている請求項５に記載の建物。
【請求項７】
少なくとも嵌合枠の建物外壁側下端縁とサッシ枠の躯体嵌合部との隙間にゴム発泡体からなる隙間止水材が充填されている請求項１〜請求項６のいずれかに記載の建物。
【請求項８】
ゴム発泡体からなる隙間止水材が嵌合枠の建物外壁側下端縁またはサッシ枠の躯体嵌合部のいずれかに粘着剤を介して固定されている請求項７に記載の建物。
【発明の詳細な説明】
【技術分野】
【０００１】
本発明は、浴室が浴室ユニットで形成されるとともに、浴室の建物外側に面する位置にドアや窓が設けられた建物のドアや窓の取り付け部の構造に関する。
【背景技術】
【０００２】
脱衣室側から浴室に出入りするドア以外に、テラス、ベランダあるいは中庭等の建物外部に直接出入りできるように第２のドアを備えた２ＷＡＹドアタイプの浴室ユニットが提案されている。（特許文献１）。
このような浴室ユニットを用いた建物の場合、上記第２のドアは、例えば、図１３に示す
ような取り付け構造となっている。
【０００３】
すなわち、図１３に示すように、額縁材１００の嵌合枠１１０が防水パン２００上に壁パネル３００に設けられた浴室壁開口部３１０から浴室側から建物外側に向かって挿入され、サッシ枠４００の躯体嵌合部４１０が建物外部に臨む建物の躯体壁５００に設けられた躯体開口部５１０から浴室側に向かってはめ込まれ、サッシ枠４００と嵌合枠１１０とがビス固定されたのち、浴室側からサッシ枠４００の躯体嵌合部４１０と嵌合枠１１０との継目部分に沿ってシリコーンシーラー等でコーキング６００が施されて、浴室内から継目部分を介して浴室外にシャワー水等が漏れ出ないようにしている。
【先行技術文献】
【特許文献】
【０００４】
【特許文献１】特開2008-25107号公報
【発明の概要】
【発明が解決しようとする課題】
【０００５】
しかし、上記のようなシリコーンシーラー等での嵌合枠の内周面に沿ってコーキングを施す作業は、嵌合枠内に作業者が浴室側から体を差し入れるか、嵌合枠内に完全に入り込んで行うため、コーキングガンを扱う姿勢が不自然なものとなりやすく、また、コーキングを施す長さも長いため、正確にコーキングを施すには、熟練を要する。すなわち、コーキングの精度は、コーキング作業を行う作業者の技術に負うところが多く、未熟な作業者が作業を行うと、止水不備部分が残り、この止水不備部分からシャワー水等がサッシ枠○と嵌合枠１１０との隙間を介して浴室外に漏水するおそれがある。
そして、上記継目部分からの漏水が、図１３に示すように、躯体壁５００と壁パネル３００の隙間を通り、床下に流れ込み、建物躯体を傷めたり、床下に溜まった漏水が腐敗して室内側に腐敗臭が流れ込んだりするおそれがある。
【０００６】
なお、額縁材１００は、一般に浴室施工の際に複数の部材を繋ぎ合わせて組み立てられ、継目部分にコーキングが施されるが、これらのコーキングは、広い場所で行われるとともに、ため、コーキング長さも短く、作業が容易でコーキング不良を招くおそれは少ない。
【０００７】
本発明は、上記事情に鑑みて、コーキングが不十分であったり、経年劣化によりコーキングが破損したりし、額縁材の嵌合枠とサッシ枠との継目部分から浴室外への漏水が発生しても、浴室ユニットと、建物躯体壁との隙間に漏水が流れ込むことがない建物を提供することを目的としている。
【課題を解決するための手段】
【０００８】
上記目的を達成するために、本発明にかかる建物は、浴室が躯体壁との間に浴室ユニットを組み立てることによって形成されていて、建物外部に臨む建物の躯体壁に形成された躯体開口部に、建物外側からサッシ枠の躯体嵌合部が嵌め込まれ、浴室壁に形成された浴室壁開口部に、浴室側から額縁材の嵌合枠が嵌め込まれ、前記躯体嵌合部と前記嵌合枠との継目部分を通って浴室側から浴室外側への漏水することを防止するように前記嵌合枠の内周面に沿ってコーキングが施されている建物であって、シート状または板状をした非透水材料から形成され、底面被覆部および外壁被覆部を少なくとも備えた止水部材が、前記底面被覆部が躯体開口部の内周壁の底面を覆い、前記外壁被覆部が前記躯体開口部下方の躯体外壁の少なくとも上端部を覆うように設置され、前記サッシ枠の躯体嵌合部が、非止水状態で前記底面被覆部に下方から受けられるように前記躯体開口部に嵌め込まれ、前記底面被覆部上に、前記躯体開口部の幅方向全幅にわたって水返し用の堰が設けられるとともに、前記コーキングの施工不備部分あるいは劣化部分を通り嵌合枠と前記躯体嵌合部との継目部分を介して前記嵌合枠下方に流れだした浴室側からの漏水が、前記水返し用の堰より建物外側の前記底面被覆部上に落ちるように誘導される漏水誘導構造を備えていることを特徴としている。
【０００９】
本発明の建物は、特に限定されないが、嵌合枠とサッシ枠との継目位置が、堰より建物外側の底面被覆部直上に設けられていることが好ましい。
すなわち、嵌合枠とサッシ枠との継目位置から漏水した水が、堰より建物外側の底面被覆部に直接受けられるため、漏水誘導構造をシンプルなものとすることができる。
【００１０】
本発明において、嵌合枠は、特に限定されないが、枠本体部と、この枠本体部のサッシ枠側に内周面に沿って設けられて枠本体部とサッシ枠との継目部分を隠蔽するように取り付けられる調整枠とを備え、前記調整枠とサッシ枠との継目および調整枠と枠本体部の継目に沿ってコーキングが施されていることが好ましい。
【００１１】
本発明において、堰は、特に限定されないが、例えば、ゴム発泡体等からなる止水テープを少なくとも底面被覆部の上面の貼着して形成することが好ましい。
すなわち、サッシの種類や形状に応じて施工現場において自由に堰の位置を調整できる。
【００１２】
また、上記のように、堰を止水テープを少なくとも底面被覆部の上面の貼着して形成する場合、特に限定されないが、止水テープの厚みとほぼ同じ厚みの第１の板材が、その端面を止水テープの浴室側端面に沿わせた状態で躯体開口部の内周壁底面に固定され、第２の板材が前記止水テープの上面を覆うように、前記第１の板材に固定されて前記止水テープが位置決めされている構成とすることが好ましい。
すなわち、第１の板材によって堰を正確な位置に設けることができるとともに、第２の板材によって、止水テープに止水を阻害するような圧縮を加えることなく、止水テープの底面被覆部からの剥がれを防止することができる。
【００１３】
また、上記第１の板材は、壁構造材に固定された金具に浴室側端部が支持固定されていることが好ましい。
【００１４】
本発明の建物は、特に限定されないが、例えば、少なくとも嵌合枠の建物外壁側下端縁とサッシ枠の躯体嵌合部との隙間にゴム発泡体からなる隙間止水材が充填されていることが好ましい。
すなわち、上記構成とすれば、万一、コーキングに不備があっても、嵌合枠とサッシ枠との隙間部分に達した漏水は、まず、この隙間止水材が止水する。したがって、より漏水が建物の床下に流れ込んで躯体を傷めたり、かびや腐敗臭の発生を防止することができる。
【００１５】
上記隙間止水材は、施工性を考慮すると、嵌合枠の建物外壁側下端縁またはサッシ枠の躯体嵌合部のいずれかに粘着剤を介して予め固定されていることが好ましい。
【発明の効果】
【００１６】
本発明にかかる建物は、以上のように、浴室が躯体壁との間に浴室ユニットを組み立てることによって形成されていて、建物外部に臨む建物の躯体壁に形成された躯体開口部に、建物外側からサッシ枠の躯体嵌合部が嵌め込まれ、浴室壁に形成された浴室壁開口部に、浴室側から額縁材の嵌合枠が嵌め込まれ、前記躯体嵌合部と前記嵌合枠との継目部分を通って浴室側から浴室外側への漏水することを防止するように前記嵌合枠の内周面に沿ってコーキングが施されている建物であって、シート状または板状をした非透水材料から形成され、底面被覆部および外壁被覆部を少なくとも備えた止水部材が、前記底面被覆部が躯体開口部の内周壁の底面を覆い、前記外壁被覆部が前記躯体開口部下方の躯体外壁の少なくとも上端部を覆うように設置され、前記サッシ枠の躯体嵌合部が、非止水状態で前記底面被覆部に下方から受けられるように前記躯体開口部に嵌め込まれ、前記底面被覆部上に、前記躯体開口部の幅方向全幅にわたって水返し用の堰が設けられるとともに、前記コーキングの施工不備部分あるいは劣化部分を通り嵌合枠と前記躯体嵌合部との継目部分を介して前記嵌合枠下方に流れだした浴室側からの漏水が、前記水返し用の堰より建物外側の前記底面被覆部上に落ちるように誘導される漏水誘導構造を備えているので、以下のような作用効果を備えている。
【００１７】
すなわち、もし、施工不備や経年劣化によってコーキング不備部分が生じて、額縁材の嵌合枠の端縁からサッシ枠との間に漏水しても、漏水誘導構造を備えているので、漏水が誘導構造部分を介して堰より建物外壁側の止水部材の底面被覆部上に落ちる。
そして、堰が設けられているので、底面被覆部上に落ちた水が浴室側に流れようとしても、堰によって水返しされて、堰より浴室側には流れないしたがって、水が建物躯体壁と浴室の壁構造体との隙間に流れ込まず、底面被覆部上を通り外壁被覆部に沿って建物外部に流れ出る。
したがって、シャワー水等が浴室側から額縁材とサッシ枠との継目部分から漏れ出ても、漏れでた水が、建物の床下に流れ込んで躯体を傷めたり、かびや腐敗臭の発生を防止することができる。
【図面の簡単な説明】
【００１８】
【図１】本発明にかかる建物の１つの実施の形態であって、浴室側から建物外に直接出入りできるようにしたドア部分を浴室側からみた斜視図である。
【図２】図１のドア部分の縦断面図である。
【図３】図１のドア部分の横断面図である。
【図４】図２の要部拡大図である。
【図５】図１の建物の出入口部分の施工手順を説明する図であって、止水部材を取り付けた状態を説明する要部断面図である。
【図６】図５の後工程であって、サッシ枠を設置した状態をあらわす要部断面図である。
【図７】図６の状態を浴室側から見た斜視図である。
【図８】図６の後工程であって、堰となる止水テープを仮止めした状態をあらわす要部断面図である。
【図９】図８の後工程であって、第１下地合板を取り付けた状態をあらわす要部断面図である。
【図１０】図９の後工程であって、第２下地合板を取り付けた状態をあらわす要部断面図である。
【図１１】図１０の後工程であって、額縁材本体を取り付けた状態をあらわす要部断面図である。
【図１２】図１１の後工程であって、調整枠を取り付けた状態をあらわす要部断面図である。
【図１３】従来の建物の浴室から建物外に直接出入りできるドア部分の要部断面図である。
【発明を実施するための形態】
【００１９】
以下に、本発明を、その実施の形態をあらわす図面を参照しつつ詳しく説明する。
図１〜図３は、本発明にかかる建物の１つの実施の形態であって、その浴室からベランダ等の建物外へ直接出入りすることができるドア部分をあらわしている。
【００２０】
図１に示すように、この建物Ａは、浴室２に脱衣室あるいは洗面室等の隣接する部屋との出入口以外にベランダ等の建物外へ直接出入りできる第２の出入口Ｄを備えている。
図２および図３に示すように、浴室２は、防水床パン２５、壁構造体を構成する壁パネル２１、天井パネル２６等を組み立て施工して形成され、壁パネル２１と躯体壁１との間に隙間Ｓが形成されている。
そして、上記出入口Ｄは、ドアサッシ３と、額縁材４とから構成されている。
【００２１】
ドアサッシ３は、アルミニウム製のドア３１とサッシ枠３２とを備えている。
ドア３１は、ベランダ等の建物外側に向かって開くようにヒンジ３１ａを介してサッシ枠３２に取り付けられている。
【００２２】
サッシ枠３２は、躯体嵌合部３２ａと、フランジ状をした躯体壁当接部３２ｂと、躯体壁１から建物外に突出する出枠部３２ｃとを備えている。
そして、サッシ枠３２は、図５に示すように、止水部材５を以下のようにして躯体壁１に取り付けたのち、躯体嵌合部３２ａが躯体壁当接部３２ｂが躯体壁１の外壁面に当接するとともに、図６、図７に示すように、後で詳述する止水部材５の底面被覆部５１に受けられた状態になるように、躯体壁１に設けられた建物外部に開口する躯体開口部１１に建物外側から浴室２側に向かって嵌め込まれている。
【００２３】
また、躯体壁当接部３２ｂは、躯体開口部１１の周辺の躯体壁１に建物外部側からビス３２ｅをねじ込むことによって躯体壁１に固定されている。また、躯体壁当接部３２ｂと躯体壁１との間には、図示していないが、下端側を除き止水材が配置されていて、雨水等が躯体壁当接部３２ｂと躯体壁１の間に入り込まないようになっている。
さらに、サッシ枠３２は、躯体嵌合部３２ａの、後述する調整枠４２が臨む部分に図７に示すように幅方向に連続する溝部３２ｆが設けられ、この溝部３２ｆの幅方向両側にサッシ枠３２の継目部分からの漏水を防止する隙間止水材９が充填されている。
この隙間止水材９としては、例えば、ＥＰＤＭ（エチレン−プロピレンージエン共重合体ゴム）系独立気泡発泡体からなる止水テープ（例えば、日東電工株式会社の商品名エプトシーラー等の市販品）が用いられる。
【００２４】
止水部材５は、特に限定されないが、例えば、ポリエステル樹脂、アクリル樹脂、ポリプロピレン、ポリエチレン等のポリオレフィン樹脂等の樹脂シート材料からなり、底面被覆部５１と、側壁被覆部５２と、外壁被覆部５３とを備え、図５に示すように、浴室２を躯体壁１に沿って組み立て施工する前に以下のようにして施工されている。
すなわち、底面被覆部５１は、図５〜図７に示すように、躯体開口部１１の底面部分１１ａと略同じ大きさの帯状をしていて、躯体開口部１１の底面部分１１ａをその全幅にわたって被覆するように設けられている。
【００２５】
側壁被覆部５２は、底面被覆部５１の長手方向の両端から同じ幅で７０〜８０ｍｍ程度延出するように設けられていて、躯体開口部１１の内周面の側壁部分１１ｂに沿うように両面粘着テープ（図示せず）を介して側壁部分１１ｂに固定されている。
外壁被覆部５３は、底面被覆部５１の短手方向の一端から、底面被覆部５１の長手寸法と同幅で延出し、延出長さは特に限定されないが、例えば、９０ｍｍ程度で、躯体開口部１１の下方の躯体壁１の外壁面に沿うように設けられている。
【００２６】
そして、サッシ枠３２は、図５に示すように、止水部材５がセットされた状態で、浴室２を組み立てる前に、図６および図７に示すように、躯体嵌合部３２がその下端を底面被覆部５１に受けられるように躯体開口部１１内に嵌合されるようになっている。
このサッシ枠３２の躯体開口部１１の嵌合によって、止水部材５が固定状態にされている。
【００２７】
また、底面被覆部５１は、その上面の躯体開口部１１の厚み方向中央より浴室２側に水返し用の高さ１０ｍｍ程度の堰６が長手方向全長にわたって以下のようにして設けられている。
すなわち、図８に示すように、例えば、断面１０ｍｍ角のＥＰＤＭ（エチレン−プロピレンージエン共重合体ゴム）系独立気泡発泡体からなる止水テープ（例えば、日東電工株式会社の商品名エプトシーラー等の市販品を用いることができる）６１を底面被覆部５１および側壁被覆部５２に沿うように配置するとともに、図示していないが、止水テープ６１の両端部を側壁被覆部５２の上端より少し上側（例えば、５０ｍｍ）に出すようにし、この側壁被覆部５２の上端より飛び出た部分を粘着テープ等で側壁部１１ｂに固定することで仮固定する。
なお、止水テープ６１の仮固定は、浴室２の組み立て施工前に行っても、図６，７に示すように浴室の組み立て施工後に行っても構わない。
【００２８】
そして、図９に示すように、止水テープ６１の高さとほぼ同じ厚みの第１下地合板８ａを、その幅方向の一端面に止水テープ６１の浴室側の面を沿わせて止水テープ６１の堰６部分を直線状に位置決めするとともに、一端部を底面被覆部５１を介して躯体開口部１１の底面１１ａに受けさせてビス８１によって固定するとともに、他端部を壁パネル２１に固定された支持金具２４の受部２４ａに受けさせてビス８１によって支持金具２４に固定する。
【００２９】
つぎに、第１下地合板８ａの上面にシリコーン樹脂コーキング材（図示せず）を塗布したのち、図１０に示すように、第２下地合板８ｂをその一端部が止水テープ６１の上面に密着するように第１下地合板８ａ上に載せてビス（図示せず）を長手方向の数箇所で第２下地合板８ｂ側から第１下地合板８ａ側にねじ込み第２下地合板８ｂを第１下地合板８ａに固定する。
このように第２下地合板８ｂを第１下地合板８ａに固定することのよって、止水テープ６１の堰形成部分が止水テープ６１を止水を損なわない圧縮率で少し圧縮され、しっかりと底面被覆部５１の上面に密着状態で保持された堰６が形成される。
【００３０】
一方、額縁材４は、額縁材本体４１と、調整枠４２とを備えている。
額縁材本体４１は、図示していないが、断面略Ｌ字形をした４つの本体形成部材を、４つのコーナー部材を介して水密に繋ぎ合わせて形成されていて、嵌合枠４１ａと鍔部４１ｂとを備えている。
なお、上記本体形成部材とコーナー部材との継目部分の止水は、図示していないが、パッキンおよびシリコーンシーラー等のコーキング剤を用いて行われる。
【００３１】
そして、額縁材本体４１は、図１１に示すように、嵌合枠４１ａが、嵌合枠４１ａの端面に全周にわたって隙間止水材としての止水テープ４３を貼着した状態で、鍔部４１ｂがパッキン（図示せず）を介して壁開口部２１ａの周縁に受けられるとともに、止水テープ４３がサッシ枠３２に全周にわたって水密に当接するように壁パネル２１に設けられた壁開口部２１ａ内に嵌合されている。
すなわち、この嵌合状態で、嵌合枠４１ａの建物外側の端縁が堰６より建物外側の底面被覆部５１の直上に配置されるとともに、嵌合枠４１ａとサッシ枠３２の躯体嵌合部３２との間に隙間が生じ、この隙間に止水テープ４３が充填された状態となっている。
【００３２】
なお、止水テープ４３は、後述するように嵌合枠４１ａとサッシ枠３２の躯体嵌合部３２と隙間内に充填状態で配置され隙間を介してシャワー水等が漏れ出なくできれば特に限定されないが、例えば、６ｍｍ×８ｍｍのＥＰＤＭ（エチレン−プロピレンージエン共重合体ゴム）系独立気泡発泡体からなる止水テープ（例えば、日東電工株式会社の商品名エプトシーラー等の市販品）を用いることができる
【００３３】
鍔部４１ｂは、ビス４１ｄによって壁パネル２１に固定されている。
また、鍔部４１ｂ表面には、ビス４１ｄを覆い隠すように、ビスカバー４１ｃが装着されている。
【００３４】
調整枠４２は、４つの枠部材４２ａと、ビスカバー４２ｂとから構成されている。
そして、各枠部材４２ａは、図示していないが、その長手方向の両端が、傾斜面になっていて、この傾斜面同士がつき合うとともに、幅方向の一端面がサッシ枠３２の躯体嵌合部３２の端面に長手方向全長にわたって当接するように嵌合枠４１ａの内周面を囲むように配置され、嵌合枠４１ａを介してビス４２ｃが躯体開口部１１の内周面にそれぞれねじ固定されている。
ビスカバー４２ｂは、枠部材４２ａを固定したビス４２ｃを覆うように枠部材４２ａに嵌合されている。
【００３５】
また、図１２に示すように、調整枠４２が固定されたのち、図２および図３に示すように、この調整枠４２がのサッシ枠側端縁および浴室側端縁に沿ってシリコーンシーラーを用いてコーキング７が施されている。
【００３６】
この建物Ａは、上記のように構成されており、調整枠４２とサッシ枠３２との継目部分および調整枠４２と嵌合枠４１ａとの継目部分に設けられたコーキング７に施工不良や、劣化があり、施工不良部分や劣化部分から調整枠４２とサッシ枠３２との継目部分および調整枠４２と嵌合枠４１ａとの継目部分を介して浴室２内で使用したシャワー水等が調整枠４２および嵌合枠４１の隙間部分や溝部３２ｆ内に入り込んだとしても、嵌合枠４１ａとサッシ枠３２の躯体嵌合部３２との隙間に止水テープ４３が充填された状態になっているので、この止水テープ４３の止水が不十分でないかぎり、シャワー水等が嵌合枠４１ａとサッシ枠３２の躯体嵌合部３２との隙間を介して浴室２外に漏れ出ることがない。また、溝部３２ｆの幅方向両側にサッシ枠３２の継目部分からの漏水を防止する止水材９が充填されているので、溝部３２ｆに水が流れ込んでも、サッシ枠３２の縦枠部材と横枠部材との継目部分に水が入り込み、浴室２外に漏れ出ることがない。
【００３７】
しかも、上記止水テープ４３の止水が不十分で、嵌合枠４１ａとサッシ枠３２の躯体嵌合部３２との隙間を介して水Ｗが漏れ出たとしても、図４に矢印で示すように、漏れ出た水Ｗが止水部材５の底面被覆部５１によって受けられるとともに、受けられた水Ｗが底面被覆部５１上を浴室２側に流れようとしても堰６によって水返しされる。
したがって、底面被覆部５１に受けらた水Ｗは、サッシ枠３２の躯体嵌合部３２と底面被覆部５１との間を通り、躯体被覆部５３の表面をとおり、建物外側に排出される。
すなわち、浴室２内から漏れ出た水が壁パネル２１と躯体壁１との隙間Ｓを通り、床下に流れ込むことがない。
【００３８】
また、堰６が、止水テープ６１を貼着することによって形成されるので、サッシの種類や形状に応じて施工現場において自由に堰６の位置を調整できる。
【００３９】
本発明は、上記の実施の形態に限定されない。例えば、上記の実施の形態では、堰が止水部材の底面被覆部にＥＰＤＭ製の発泡体シートを貼着することによって形成されていたが、予め止水部材に一体成形されていても構わない。
また、上記の実施の形態では、隙間を堰より建物外側の底面被覆部を上から臨むように設け、漏れ出た水を堰より建物外側の底面被覆部上に落ちるように誘導していたが、隙間を受けるように樋状部材を別途設け、隙間から流れ出た漏水をこの樋状部材で受け、底の一部に穿設された排水孔からホース等を用い、底面被覆部上に誘導するようにしても構わない。
【００４０】
上記実施の形態では、額縁材が調整枠を備えていたが、意匠上問題がなければ、調整枠は無くても構わない。
上記の実施の形態では、サッシ枠の壁嵌合部を躯体開口部に嵌合させたのち、堰となる止水テープを取り付けるようにしていたが、止水テープを仮止めしたのち、サッシ枠の壁嵌合部を躯体開口部に嵌合させるようにしても構わない。
【００４１】
上記の実施の形態では、建物外に面して第２に出入口が設けられていたが、上記構造は、建物外に面する窓用サッシにも用いることができる。
【符号の説明】
【００４２】
Ａ  建物
Ｄ  第２の出入口
Ｓ  隙間
Ｗ  水
１  躯体壁
１１  躯体開口部
１１ａ  底面部分
１１ｂ  側壁部分
２  浴室
２１  壁パネル（壁構造体）
２１ａ  壁開口部
２４  支持金具
２５  防水床パン
２６  天井パネル
３  ドアサッシ
３１  ドア
３１ａ  ヒンジ
３２  サッシ枠
３２ａ  躯体嵌合部
３２ｂ  躯体壁当接部
３２ｃ  出枠部
３２ｅ  ビス
３２ｆ  溝部
４  額縁材
４１  額縁材本体
４１ａ  嵌合枠
４１ｂ  鍔部
４１ｃ  ビスカバー
４１ｄ  ビス
４２  調整枠
４２ａ  枠部材
４２ｂ  ビスカバー
４２ｃ  ビス
４３  止水テープ（隙間止水材）
５  止水部材
５１  底面被覆部
５２  側壁被覆部
５３  外壁被覆部
６  堰
６１  止水テープ
７  コーキング
８ａ  第１下地合板
８ｂ  第２下地合板
８１  ビス
９  止水材
【図１】
2014173409.tif 000003
【図２】
2014173409.tif 000004
【図３】
2014173409.tif 000005
【図４】
2014173409.tif 000006
【図５】
2014173409.tif 000007
【図６】
2014173409.tif 000008
【図７】
2014173409.tif 000009
【図８】
2014173409.tif 000010
【図９】
2014173409.tif 000011
【図１０】
2014173409.tif 000012
【図１１】
2014173409.tif 000013
【図１２】
2014173409.tif 000014
【図１３】
2014173409.tif 000015